(57)【特許請求の範囲】
【請求項１】
曲げ弾性を有する中空の記録媒体と、この記録媒体に電荷を供給する電荷供給手段と、記録媒体に電界を形成する電界形成手段とを備え、
記録媒体は、透明性と導電性とを有し、隙間をおいて相対向する一対の基板と、この一対の基板間の隙間に移動可能に介在され、黒色で半導電性を有する多数の発色粒子と、白色に形成されて一対の基板間の隙間に移動可能に介在される多数の消色粒子とを含み、
電荷供給手段は、記録媒体の一の基板の内面に負のチャージを発生させる感光層と、他の一の基板の内面に正のチャージを発生させる感光層とを含み、
電界形成手段は、記録媒体の一の基板に積層される透明の導電部材と、記録媒体の一対の基板間に導電部材を介して電圧を印加する電源とを含んでなる記録媒体の記録方法であって、
電界形成手段により記録媒体に電界を形成するとともに、記録媒体の全面に一の基板側の第一の光照射手段から光を照射し、発色粒子を一の基板側から他の一の基板側に移動させた後、他の一の基板側から第二の光照射手段により画像情報に基づいて記録媒体に光を照射し、発色粒子を他の一の基板から一の基板側に移動させて画像を形成することを特徴とする記録媒体の記録方法。
【請求項２】
請求項１に記載された記録媒体に電荷を供給する電荷供給手段と、記録媒体に形成された画像を消去する消去手段と、記録媒体に画像を形成する印字手段とを含んでなる画像形成装置であって、
電荷供給手段は、記録媒体の一の基板の内面に負のチャージを発生させる感光層と、他の一の基板の内面に正のチャージを発生させる感光層とを含み、
消去手段は、記録媒体に電界を付与する電界形成手段と、この電界形成手段により記録媒体に電界を付与した状態で一の基板側から記録媒体の全面に光を照射する第一の光照射手段とを含み、
印字手段は、記録媒体に電界を付与する電界形成手段と、この電界形成手段により記録媒体に電界を付与した状態で他の一の基板から画像情報に基づいて記録媒体に光を照射する第二の光照射手段とを含み、
消去手段と印字手段とを記録媒体の相対的な移動方向に沿って設けたことを特徴とする画像形成装置。
【請求項３】
消去手段と印字手段との間隔を記録媒体よりも長くした請求項２記載の画像形成装置。
【請求項４】
消去手段と印字手段との間隔を記録媒体よりも短くした請求項２記載の画像形成装置。
【請求項５】
消去手段と印字手段との間に介在され、記録媒体を所定の速度で搬送するレジスト手段を含んでなる請求項２、３、又は４記載の画像形成装置。
【請求項６】
記録媒体に画像の形成と消去が可能な第一の動作モードと、画像の消去のみ可能な第二の動作モードの少なくとも二つの動作モードでの動作を可能とした請求項２ないし５いずれかに記載の画像形成装置。
【請求項７】
第一、第二の動作モードの切り替え、又は第二の動作モードでの動作が行なえる切り替え手段を含んでなる請求項６記載の画像形成装置。
【発明の詳細な説明】
【０００１】
【発明の属する技術分野】
本発明は、書き込みや消去の可能な記録媒体の記録方法、及び画像形成装置に関するものである。
【０００２】
【従来の技術】
近年、ディスプレイ上に画像信号を可視像として出力する画像表示装置として、図示しないが、液晶等を使用することにより、任意の画像を表示する画像表示装置が提案されている。
なお、この種の先行技術文献として、特開平６−６７１４１号公報等があげられる。
【０００３】
【発明が解決しようとする課題】
可視像の記録媒体として紙が一般的に使用されているが、この紙は、任意の大きさに加工することが可能であり、情報を可視像として容易に記録することができ、一枚当たりの厚さが薄く、しかも、軽量安価なので取り扱いが容易であるという特徴がある。しかしながら、紙面に形成された画像情報は、消去や訂正が可能ではあるものの、簡単完全ではなく、トナーやインク等の顕像剤の使用が不可欠である。また、顕像剤を使用した場合には、画像を簡易に消去することができないという大きな問題がある。
【０００４】
これに対し、上記画像表示装置は、画像の書き込みや消去が繰り返し可能ではあるが、液晶を使用するので液晶ドライブ用の電界が必要となる。このため、例えば、電極を配置して電位を付与したり、液晶の配向状態を維持する高分子液晶や高分子材料中に低分子液晶を分散させた複合材料を使用せざるを得ず、コストアップを到底回避することができないという大きな問題が新たに生じることとなる。
【０００５】
本発明は、上記に鑑みなされたもので、低コストで画像の書き込みや消去が繰り返し可能な記録媒体の記録方法、及び画像形成装置を提供することを目的としている。
【０００６】
【課題を解決するための手段】
本発明においては、上記課題を達成するため、曲げ弾性を有する中空の記録媒体と、この記録媒体に電荷を供給する電荷供給手段と、記録媒体に電界を形成する電界形成手段とを備え、
記録媒体は、透明性と導電性とを有し、隙間をおいて相対向する一対の基板と、この一対の基板間の隙間に移動可能に介在され、黒色で半導電性を有する多数の発色粒子と、白色に形成されて一対の基板間の隙間に移動可能に介在される多数の消色粒子とを含み、
電荷供給手段は、記録媒体の一の基板の内面に負のチャージを発生させる感光層と、他の一の基板の内面に正のチャージを発生させる感光層とを含み、
電界形成手段は、記録媒体の一の基板に積層される透明の導電部材と、記録媒体の一対の基板間に導電部材を介して電圧を印加する電源とを含んでなる記録方法であって、
電界形成手段により記録媒体に電界を形成するとともに、記録媒体の全面に一の基板側の第一の光照射手段から光を照射し、発色粒子を一の基板側から他の一の基板側に移動させた後、他の一の基板側から第二の光照射手段により画像情報に基づいて記録媒体に光を照射し、発色粒子を他の一の基板から一の基板側に移動させて画像を形成することを特徴としている。
【０００７】
また、本発明においては、上記課題を達成するため、請求項１に記載された記録媒体に電荷を供給する電荷供給手段と、記録媒体に形成された画像を消去する消去手段と、記録媒体に画像を形成する印字手段とを含んでなるものであって、
電荷供給手段は、記録媒体の一の基板の内面に負のチャージを発生させる感光層と、他の一の基板の内面に正のチャージを発生させる感光層とを含み、
消去手段は、記録媒体に電界を付与する電界形成手段と、この電界形成手段により記録媒体に電界を付与した状態で一の基板側から記録媒体の全面に光を照射する第一の光照射手段とを含み、
印字手段は、記録媒体に電界を付与する電界形成手段と、この電界形成手段により記録媒体に電界を付与した状態で他の一の基板から画像情報に基づいて記録媒体に光を照射する第二の光照射手段とを含み、
消去手段と印字手段とを記録媒体の相対的な移動方向に沿って設けたことを特徴としている。
【０００８】
なお、消去手段と印字手段との間隔を記録媒体よりも長くすることができる。
また、消去手段と印字手段との間隔を記録媒体よりも短くすることもできる。
また、消去手段と印字手段との間に介在され、記録媒体を所定の速度で搬送するレジスト手段を含むことができる。
【０００９】
また、記録媒体に画像の形成と消去が可能な第一の動作モードと、画像の消去のみ可能な第二の動作モードの少なくとも二つの動作モードでの動作を可能とすることができる。
さらに、第一、第二の動作モードの切り替え、又は第二の動作モードでの動作が行なえる切り替え手段を含むと良い。
【００１０】
【発明の実施の形態】
以下、図面を参照して本発明に係る記録媒体の記録方法の好ましい実施形態を説明すると、本実施形態における記録媒体１は、図１や図２に示すように、隙間を介して相対向する導電性の一対の基板２・３と、この一対の基板２・３の間に移動可能に介在される多数の発色粒子４と、一対の基板２・３の間に移動可能に介在されて白色を呈する粒子状の多数の消色粒子５と、一対の基板２・３の間に設けられ、発色粒子４に電荷を供給する電荷供給手段６とを備え、繰り返しの光書き込みや消去を可能とする。
【００１１】
記録媒体１は、例えば通常の紙と同様に厚さが２００μｍ程度のＡ４規格の大きさに形成され、内部が中空に区画形成されており、通常の紙と同様に所定の曲げ弾性を有している。一対の基板２・３は、例えば５０μｍ程度の厚さを有する平板の透明電極からなり、記録媒体１の上下面をそれぞれ形成している。
【００１２】
各発色粒子４は、１×１０１０Ω・ｃｍで粒子状の半導電体からなり、黒色に塗布されている。この発色粒子４は、消色粒子５同様、トナーの精製方法である粉砕法や重合法等により、所定の大きさ、構造に精製される。さらに、電荷供給手段６は、下方側の基板２の内面に積層される断面板状の感光層７と、上方側の基板３の内面に積層される断面板状のＣＴＬ層８とを備え、感光層７がＣＧＬ層とＣＴＬ層とから積層構成されている。
【００１３】
上記構成において、図２の基板３側から記録媒体１を見ると、複数の発色粒子４が移動している領域、具体的にはＳ１の領域は黒色を呈し、発色粒子４が移動していない領域、具体的にはＳ２の領域は白色を呈する。このように、画像情報に基づいて全部又は一部の発色粒子４を粒子移動させれば、記録媒体１に所定の画像を簡単に形成することができる。
【００１４】
次に、図３（ａ）、（ｂ）に基づいて本発明に係る記録媒体１の記録方法の好ましい実施形態を説明すると、この場合には、電界形成手段２０により記録媒体１に電界を形成しつつ、この記録媒体１に選択的に光照射可能な光照射手段２３で記録媒体１に光を照射することにより、電荷供給手段６で電荷の供給された一部の発色粒子４を上方側に位置する基板３方向に粒子移動させて画像を形成するようにしている。
【００１５】
電界形成手段２０は、下方側の基板２に積層される断面板状で透明の導電部材２１と、一対の基板２・３間に電圧を印加する電源２２とから構成されている。光照射手段２３は、各種の単一の光源からなり、画像情報に基づいて光を照射する。記録媒体１については、上記説明と同様であるので説明を省略する。
【００１６】
上記構成において、記録媒体１に所定の画像を形成する場合には、先ず、電界形成手段２０により初期状態の記録媒体１に電界を形成し、この記録媒体１に光照射手段２３で光を照射する（図３（ａ）参照）。すると、光照射領域に存在する発色粒子４に電荷が感光層７から注入され、形成された電界により発色粒子４が基板３側に移動する（図３（ｂ）参照）。こうして発色粒子４が基板３側に移動したら、光照射手段２３が画像情報に基づいて光照射領域以外の他の領域にも光を照射し、これにより記録媒体１全体に画像を形成することができる。
【００１７】
さらに、この状態で電界と光照射とを解除すると、基板３側に移動した発色粒子４が鏡像力とファンデルワールス力（Ｖａｎ  ｄｅｒ  Ｗａａｌｓ  ｆｏｒｃｅ）等の粒子力、吸引力とにより基板３にそのまま残留するので、画像記録の保存が可能になる。
記録媒体１の画像を消去する場合には、図３（ｂ）の状態で電源２２を逆に接続すれば、画像を消去することができる。
【００１８】
なお、上記実施形態では粒径が同一の発色粒子４と消色粒子５とを示したが、図４に示すように、発色粒子４の粒径を消色粒子５の粒径よりも小さくしたり、発色粒子４の表面にシリカを付着させる等して発色粒子４の流動性を向上させることが好ましい。こうすれば、画像の記録や消去に必要な電界等のエネルギーが著しく低くなり、印加電圧が低下して電源２２の部品点数の削減、小型化、コストダウン、及び信頼性の向上が多いに期待できる。
【００１９】
また、発色粒子４を上方側に位置する基板３方向に移動させるのではなく、図５に示すように、一部の消色粒子５を上方側に位置する基板３方向に移動させるようにしても良い。同図においては、消色粒子５が上方側に位置する基板３に移動した領域、例えばＳ２の領域が白色を呈し、移動しなかった領域、例えばＳ１の領域が黒色を呈する。この場合においても、消色粒子５の粒径を発色粒子４の粒径よりも小さくしたり、消色粒子５の表面にシリカを付着させる等して消色粒子５の流動性を向上させると良い（図６参照）。
【００２０】
ところで、上記実施形態では記録媒体１の持ち運びに際して発色粒子４と消色粒子５の配列が不適当な関係になることが考えられる。例えば、図７に示すように、持ち運び時の振動等で発色粒子４と消色粒子５が混同すると、黒色を呈する筈の領域Ｓ１でも白色領域が発生し、所定の画像を得ることができなくなるおそれがある。このようなおそれを確実に解消するには、図８（ａ）、（ｂ）や図９（ａ）、（ｂ）のような記録媒体１の記録方法を採用することが好ましい。
【００２１】
この記録媒体１の記録方法は、電界形成手段２０により記録媒体１に電界を形成するとともに、第一の光照射手段２４から記録媒体１に光を照射することにより、発色粒子４を上方側の基板３に移動させ、第二の光照射手段２５から記録媒体１に光を照射することにより、電荷供給手段６から電荷の供給された発色粒子４を下方側の基板２に移動させて画像を形成するようにしている。
【００２２】
記録媒体１を構成する一対の基板２・３は、一の基板２の内面に負のチャージを発生させる感光層７Ａが積層され、他の一の基板３の内面には正のチャージを発生させる感光層７Ｂが積層されている。第一の光照射手段２４としては、例えば、ＬＥＤアレイ等の複数の光源が使用される。また、第二の光照射手段２５としては、既に説明した光照射手段２３が用いられる。その他の部分については、上記実施形態と同様であるので説明を省略する。
【００２３】
上記構成において、記録媒体１に画像を形成する場合には、先ず、基板２側の第一の光照射手段２４から記録媒体１に光を照射する（図８（ａ）参照）。すると、全ての発色粒子４が基板３側に移動する（図８（ｂ）参照）。こうして全ての発色粒子４が基板３側に一旦移動したら、画像情報に基づいて基板３側の第二の光照射手段２５から記録媒体１に光を選択的に照射（図９（ａ）参照）し、必要な任意の発色粒子４だけを下方側の基板２に移動させれば、記録媒体１に所定の画像を形成することができる（図９（ｂ）参照）。
【００２４】
上記記録方法によれば、基板２・３に付着している発色粒子４はどちらも電荷を有するので、両方の基板２・３により発色粒子４は的確に保持される。したがって、いかなる場合においても、画像の乱れをきわめて有効に防止することが可能になる。また、本記録方法は、発色粒子４や消色粒子５に電荷が付与されていない状態、すなわち初期状態だけではなく、任意の画像形成状態でも実施することができるので、使用の自由度の著しい向上が期待できる。
【００２５】
また、本記録方法によれば、発色粒子４と消色粒子５とを所定のスペースに収容することも可能なので、記録媒体１が傾斜し、発色粒子４と消色粒子５とが一方に片寄って画像の形成が困難になる等の問題をきわめて有効に解消することが可能になる。この点を図１０（ａ）に基づいて説明すると、一対の基板２・３の間に複数のスペーサ２６を接着剤を介して介在接着し、記録媒体１の内部を複数のスペースに分割する。こうすれば、発色粒子４と消色粒子５とを所定のスペースに封止することができる。
【００２６】
なお、スペーサ２６としては、図１０（ａ）に限定されるものではなく、図１０（ｂ）に示す大きな粉体２７を複数用いても良い。
【００２７】
次に、図面を参照して本発明に係る画像形成装置の好ましい実施形態を説明すると、本実施形態における画像形成装置３０は、図１１や図１２に示すように、記録媒体１を送り出す給紙手段３１と、記録媒体１の画像を消去する消去手段３５と、記録媒体１に画像を形成する印字手段４０と、画像の形成された記録媒体１を貯える排紙手段５０とを備え、給紙手段３１、消去手段３５、及び印字手段４０を記録媒体１の相対的な移動方向（図１２の右方向から左方向）に沿って配設している。
【００２８】
給紙手段３１は、記録媒体１を複数枚積層して収容する着脱自在のカセット３２と、このカセット３２から最上位の記録媒体１を一枚づつ送り出すピックアップローラ３３と、このピックアップローラ３３で供給された記録媒体１を案内するガイド３４と、記録媒体１の供給を検出する図示しない給紙センサとから構成されている。ピックアップローラ３３や図示しない他の各ローラは、図示しない駆動装置により回転駆動する。この回転駆動は、図示しないプロセスコントロールユニットにより、所定のタイミングで適宜制御される。
【００２９】
消去手段３５は、記録媒体１に電界を付与した状態で光照射を許容するウレタンスポンジゴムからなるローラ３６と、透明導電層を表面に有するガラス管からなるローラ３７と、このローラ３７に内蔵された複数のＬＥＤからなる光照射手段３８と、電界形成用の電圧を印加する８００Ｖ〜９００Ｖ等の電源３９とから構成されている。この消去手段３５は、図８（ａ）、（ｂ）や図９（ａ）、（ｂ）に示す手順に従い、記録媒体１の全面に亘って効率的、かつ均一に光照射するとともに、電源３９により電圧を印加して記録媒体１の画像を消去するよう機能する。
【００３０】
なお、記録媒体１に光を照射する光照射手段３８としては、ＬＥＤの他、線条のハロゲンランプや蛍光管等を使用することもできる。
【００３１】
印字手段４０は、半導体レーザ４１、ポリゴンミラー４２、ミラー４３、及びレンズ４４からなる光照射装置４５と、導電性で透明のブレード４６と、このブレード４６の対向位置に設置された導電性のウレタンゴムからなるローラ４７と、これらブレード４６とローラ４７との間に電界を形成する電圧供給用の電源４８と、記録媒体１を所定の速度で搬送するレジスト手段であるレジストローラ４９とから構成されている。光照射装置４５は、上記構成のみに限定されるものではなく、レーザプリンタの露光手段を流用することもできる。また、この他にも、例えばアナログコピーの光学系やＬＥＤヘッド等を使用することもできる。このＬＥＤヘッドを使用する場合、レンズ４４等の光学系を省略することができ、部品点数の削減、小型化、コストダウン、及び信頼性の向上を図ることが可能である。
【００３２】
また、消去手段３５と印字手段４０において画像が形成される部分、すなわち、ブレード４６とローラ４７との対向領域までの距離は使用する記録媒体１の長さ以上とされ、レジストローラ４９は消去手段３５と印字手段４０の間の中間に回転可能に軸支されることが望ましい。これは、消去手段３５と印字手段４０とでは印加する電圧が異なるためである。但し、印加する電圧が等しい場合には、両者を記録媒体１の長さ以下とし、レジストローラ４９を省略しても良い。
【００３３】
また、レジストローラ４９の作用により、記録媒体１の搬送がローラ４７によらなくても可能な場合、ローラ４７の代わりに他の電界形成手段、例えばブレード４６等を使用することができる。
【００３４】
排紙手段５０は、記録媒体１を所定の速度で搬送するとともに、記録媒体１を排紙口から画像形成装置３０の外部に排出する排出ローラ５１と、排紙された記録媒体１を収容する着脱自在の排紙トレイ５２とから構成されている。排紙ローラ５１は、ローラ４７による排紙が可能ならば、省略することができる。排紙トレイ５２は、必要に応じ、選択的に装着される。
【００３５】
本実施形態の画像形成装置３０は、コンピュータの出力装置、すなわちプリンタとして主に使用されるが、必ずしもこれに限定されるものではない。例えば、ワードプロセッサ、ＦＡＸ、あるいはデジタル複写機等として用いることも可能である。また、記録媒体１にハードコピーとして出力することもできる。
【００３６】
上記構成において、図示しないホストコンピュータからの印字コマンドで印字手段４０が印字動作を開始すると、記録媒体１は、カセット３２からピックアップローラ３３により一枚取り出されて下流の消去手段３５に搬送され、この消去手段３５が画像を消去し、所定の速度で下流に搬送される。消去手段３５を通過したが記録媒体１は、レジストローラ４９により所定の速度で印字手段４０のブレード４６とローラ４７との間に搬送され、これらブレード４６とローラ４７との間に９００Ｖの電位差の電界が電源により形成される。この状態で光照射装置４５により画像情報に応じた光照射が行われ、記録媒体１に画像が図８（ａ）、（ｂ）や図９（ａ）、（ｂ）のように形成される。このようにして所定の画像が形成されたら、記録媒体１は、排紙ロ―ラ５１により排紙トレイ５２上に排紙される。
【００３７】
ところで、画像形成装置３０では、記録媒体１の画像消去のみを行いたい場合がある。例えば、重要な記録媒体１を廃棄する場合には、情報の漏洩防止の観点から記録された画像情報を消去する必要がある。このような場合、画像形成装置３０のホストコンピュータを使用するのは非常に煩雑である。具体的には、ホストコンピュータを使用すると、白ベタの画像を印字する等の作業が必要となり、実に面倒であるからである。
【００３８】
このような場合には、記録媒体１に画像の形成と消去が可能な第一の動作モードとは異なり、画像の消去のみを行う第二の動作モードで動作させることが好ましい、本実施形態では図１３に示すように、動作モードの切り替え手段である操作パネル６０を設け、この操作パネル６０を操作して第一、第二の動作モードを選択可能とし、さらにワンタッチで第二の動作モードでの動作を可能とするよにしている。さらにまた、第二の動作モードにおける画像の消去において、例えば図２のように、発色粒子４が移動して画像を形成する場合には、図１４に示すように発色粒子４を基板２側に移動させる画像消去でも良いし、図１５に示すように発色粒子４を基板３側に移動させる画像消去でも良い。
【００３９】
【発明の効果】
以上のように本発明によれば、発色粒子又は消色粒子の移動する方を他方よりも移動しやすくしているので、記録に必要なエネルギーが低くなり、電位を低下させることができるという効果がある。また、部品点数の削減、小型化、及びコストダウンを図ることができるとともに、信頼性を向上させることができる。また、画像の書き込み消去が可能な記録媒体を安価、かつ容易に実現することができ、しかも、トナーやインク等の顕像剤を省略することができる。
【００４０】
また、記録媒体を振動させたり、傾けた場合等でも画像の劣化しない良好な記録媒体を得ることが可能になる。また、画像を形成する発色粒子が移動せず、画像の形成に必要のない発色粒子が移動するので、移動時に発生する画像の劣化を防止でき、高解像度の良好な画像形成が可能になる。また、画像の書き込みや消去を略同時に行うことができるので、画像形成装置の構成が簡素となる。また、部品点数の削減、小型化、及びコストダウンを図ることができるとともに、信頼性を向上させることができる。
【００４１】
また、画像の消去と記録に必要な印加電圧が相異する記録媒体を使用しても、画像の消去と記録とが相互に影響することがなく、良好な画像の消去と記録とが期待できる。また、記録媒体を所定の速度で搬送することができるので、これを通じて良好な画像の消去と記録が期待できる。また、画像の消去と記録に必要な印加電圧が等しい記録媒体を使用した場合、レジスト手段が不要となり、部品点数の削減、小型化、及びコストダウンを図ることができ、しかも、信頼性を向上させることが可能となる。
【００４２】
また、ホストコンピュータにより白ベタの画像を印字する等の作業が不要となるので、画像を容易に消去することができる。また、記録媒体の画像の消去動作が画像形成層の操作のみで可能となるので、ホストコンピュータによる作業が不要となり、画像を容易に消去することができる。さらに、電界の形成や画像の消去、記録、搬送を同時に行うことができるので、部品点数の削減、小型化、及びコストダウンが期待できる。さらにまた、信頼性を向上させることが可能になるという効果がある。
【図面の簡単な説明】
【図１】    本発明に係る記録媒体の記録方法の実施形態を示す斜視説明図である。
【図２】    本発明に係る記録媒体の記録方法の実施形態を示す要部断面説明図である。
【図３】  本発明に係る記録媒体の記録方法の実施形態を示す断面説明図で、（ａ）図は記録媒体に光を選択的に照射した状態を示す説明図、（ｂ）図は発色粒子が基板側に移動した状態を示す説明図である。
【図４】  本発明に係る記録媒体の記録方法の他の実施形態を示す断面説明図である。
【図５】  本発明に係る記録媒体の記録方法の他の実施形態を示す断面説明図である。
【図６】  本発明に係る記録媒体の記録方法の他の実施形態を示す断面説明図である。
【図７】  記録媒体、記録媒体の記録方法の問題点を示す断面説明図である。
【図８】  本発明に係る記録媒体の記録方法の実施形態を示す断面説明図で、（ａ）図は記録媒体の全面に第一の光照射手段で光を照射した状態を示す説明図、（ｂ）図は基板側に全ての発色粒子が移動した状態を示す説明図である。
【図９】  本発明に係る記録媒体の記録方法の実施形態を示す断面説明図で、（ａ）図は記録媒体に第二の光照射手段で光を照射した状態を示す説明図、（ｂ）図は基板側に任意の発色粒子が移動した状態を示す説明図である。
【図１０】  本発明に係る記録媒体の記録方法の実施形態を示す断面説明図で、（ａ）図は一対の基板間にスペーサを介在した状態を示す説明図、（ｂ）図はスペーサとして粉体を用いた状態を示す説明図である。
【図１１】  本発明に係る画像形成装置の実施形態におけるプリンタを示す断面説明図である。
【図１２】  本発明に係る画像形成装置の実施形態を示す断面説明図である。
【図１３】  本発明に係る画像形成装置の実施形態を示す斜視説明図である。
【図１４】  本発明に係る画像形成装置の他の実施形態を示す断面説明図である。
【図１５】  本発明に係る画像形成装置の他の実施形態を示す断面説明図である。
【符号の説明】
１    記録媒体
２    基板
３    基板
４    発色粒子
５    消色粒子
６    電荷供給手段
７    感光層
２０  電界形成手段
２１  導電部材
２２  電源
２３  光照射手段
２４  第一の光照射手段
２５  第二の光照射手段
２６  スペーサ
３０  画像形成装置
３１  給紙手段
３２  カセット
３３  ピックアップローラ
３４  ガイド
３５  消去手段
３６  ローラ
３７  ローラ
３８  光照射手段
３９  電源
４０  印字手段
４１  半導体レーザ
４２  ポリゴンミラー
４３  ミラー
４４  レンズ
４５  光照射装置
４６  ブレード
４７  ローラ
４８  電源
４９  レジストローラ
５０  排紙手段
５１  排紙ローラ
５２  排紙トレイ
６０  操作パネル(切り替え手段)
【図１】
0003638114.tif 000002
【図２】
0003638114.tif 000003
【図３】
0003638114.tif 000004
【図４】
0003638114.tif 000005
【図５】
0003638114.tif 000006
【図６】
0003638114.tif 000007
【図７】
0003638114.tif 000008
【図８】
0003638114.tif 000009
【図９】
0003638114.tif 000010
【図１０】
0003638114.tif 000011
【図１１】
0003638114.tif 000012
【図１２】
0003638114.tif 000013
【図１３】
0003638114.tif 000014
【図１４】
0003638114.tif 000015
【図１５】
0003638114.tif 000016